(57)【特許請求の範囲】
【請求項１】
情報源のアプリケーション・プログラミング・インタフェースを呼び出すことによって、ユーザ・オリジナル情報を情報源から取得するステップであり、前記ユーザ・オリジナル情報が、ユーザ識別子と、前記ユーザ識別子に対応するユーザによって前記情報源上に公開されたコンテンツ及び時間とを含むステップと、
前記コンテンツからユーザ状態を示すキーワードを抽出することによって、前記ユーザ・オリジナル情報を解析し、前記解析されたユーザ・オリジナル情報からユーザ状態情報を取得するステップと、
前記ユーザ状態情報と仮想イメージ・データベースのイメージに関連する１つ以上のタグとの間の適合のレベルに従って、前記ユーザ状態情報に適合しているユーザ仮想イメージを仮想イメージ・データベースから取得するステップであり、前記ユーザ仮想イメージは、マルチメディア・コンテンツ及び前記マルチメディア・コンテンツを制御するスクリプトを含むステップと、
仮想イメージ表示端末に、前記ユーザ仮想イメージを表示するように通知するステップと、
前記ユーザ状態情報を更新し、前記ユーザ状態情報と前記１つ以上のタグとの間の適合の前記レベルに従って前記ユーザ仮想イメージを更新するステップと、
前記更新されたユーザ仮想イメージを表示するようにプッシュ・モードで前記仮想イメージ表示端末に通知するステップと
を含む、ユーザ状態を表示するための方法。
【請求項２】
前記ユーザ・オリジナル情報を前記情報源から取得する前記ステップが、
ユーザ識別子リストに従って、前記ユーザ・オリジナル情報を前記情報源から取得するステップを含む、請求項１に記載の方法。
【請求項３】
前記ユーザ識別子リストが、情報源識別子と、前記情報源識別子に対応する情報源上にユーザによって登録されたユーザ識別子とを含む、請求項２に記載の方法。
【請求項４】
ユーザ仮想イメージ・サービス登録要求を受信するステップと、
前記ユーザ仮想イメージ・サービス登録要求に従って、複数の仮想イメージを前記ユーザに割り当てるステップと
をさらに含む、請求項１に記載の方法。
【請求項５】
前記ユーザ状態情報に従って、前記ユーザ状態情報に適合している前記ユーザ仮想イメージを前記仮想イメージ・データベースから取得する前記ステップが、
前記ユーザ状態情報に適合しているユーザ仮想イメージを前記複数の仮想イメージから選択するステップを含む、請求項４に記載の方法。
【請求項６】
前記ユーザ仮想イメージが、画像、アニメーション・セグメント、対話型画像、オーディオ、及び動画のうち少なくとも１つを含む、請求項１に記載の方法。
【請求項７】
前記ユーザ仮想イメージが、ハイパーテキスト・マークアップ言語５（ＨＴＭＬ５）標準に適合している、請求項１に記載の方法。
【請求項８】
情報源のアプリケーション・プログラミング・インタフェースを呼び出すことによって、ユーザ・オリジナル情報を情報源から取得するように構成された取得ユニットであり、前記ユーザ・オリジナル情報が、ユーザ識別子と、前記ユーザ識別子に対応するユーザによって前記情報源上に公開されたコンテンツ及び時間とを含む取得ユニットと、
前記コンテンツからユーザ状態を示すキーワードを抽出することによって、前記ユーザ・オリジナル情報を解析し、前記解析されたユーザ・オリジナル情報からユーザ状態情報を取得するように構成された解析ユニットと、
前記解析ユニットによって取得された前記ユーザ状態情報と仮想イメージ・データベースのイメージに関連する１つ以上のタグとの間の適合のレベルに従って、前記ユーザ状態情報に適合しているユーザ仮想イメージを仮想イメージ・データベースから取得するように構成された適合ユニットであり、前記ユーザ仮想イメージは、マルチメディア・コンテンツ及び前記マルチメディア・コンテンツを制御するスクリプトを含む適合ユニットと、
仮想イメージ表示端末が前記ユーザ仮想イメージを表示するように仮想イメージ表示端末に通知するように構成される通知ユニットと
を備え、
前記適合ユニットは、前記ユーザ状態情報を更新し、前記ユーザ状態情報と前記１つ以上のタグとの間の適合の前記レベルに従って前記ユーザ仮想イメージを更新するようにさらに構成され、
前記通知ユニットは、前記更新されたユーザ仮想イメージを表示するようにプッシュ・モードで前記仮想イメージ表示端末に通知するようにさらに構成される仮想イメージ・サーバ。
【請求項９】
情報取得ユニットが、ユーザ識別子リストに従って、前記ユーザ・オリジナル情報を前記情報源から取得するように、ユーザ識別子リストを情報取得ユニットに送信するように構成された送信ユニットであり、前記ユーザ識別子リストが、情報源識別子と、前記情報源識別子に対応する情報源上にユーザによって登録されたユーザ識別子とを備える送信ユニットをさらに備える、請求項８に記載の仮想イメージ・サーバ。
【請求項１０】
ユーザ仮想イメージ・サービス登録要求を受信し、前記ユーザ仮想イメージ・サービス登録要求に従って、複数の仮想イメージを前記ユーザに割り当てるように構成されたサービス登録ユニットをさらに備える、請求項８に記載の仮想イメージ・サーバ。
【発明の詳細な説明】
【技術分野】
【０００１】
本願は、中国特許庁に２０１２年１月９日に出願された「ＵＳＥＲ  ＳＴＡＴＵＳ  ＤＩＳＰＬＡＹＩＮＧ  ＭＥＴＨＯＤ，  ＤＩＳＰＬＡＹＩＮＧ  ＴＥＲＭＩＮＡＬ，  ＡＮＤ  ＳＥＲＶＥＲ」と題する中国特許出願第２０１２１０００４３８０．７号の優先権を主張し、参照によってその全体が本明細書に組み込まれる。
【０００２】
本発明は、通信分野に関し、詳細には、ユーザ状態表示方法、仮想イメージ表示端末、及び仮想イメージ・サーバに関する。
【背景技術】
【０００３】
インターネット・サービスが発達するにつれて、人々は、従来の電話、ショート・メッセージ、及び電子メールから、最近のインスタント・メッセージ、ミニブログ、ソーシャル・ネットワーキング・サービス（ＳＮＳ）などに及ぶ、より一層様々な方法を使用することによって互いにコミュニケーションを取り合っている。様々なコミュニケーション方法は、より多くのコミュニケーションの機会をもたらすが、コミュニケーション効果は、対面式のコミュニケーションの効果と比べると少ない。
【０００４】
双方向性を高めるために、従来技術のすべてのネットワーク・アプリケーションが、ユーザの気分及び仮想イメージの表示を含むユーザ状態表示を提供する。ユーザ状態は通常、アドレス帳、例えば、携帯電話のアドレス帳、インスタント・メッセージ・ソフトウェアのアドレス帳、ＳＮＳのユーザ情報、及びミニブログのユーザ情報に表示される。この表示は、イメージ又はひとまとまりのテキストの表示であり、そこでは、イメージには、セルフショットの写真、漫画のイメージ、景色などが含まれ、テキストには、ユーザ状態に関する説明が含まれる。ユーザは、手動で、イメージを置き換えたり、テキストを修正したりして、ユーザ状態を調整することができる。
【発明の概要】
【発明が解決しようとする課題】
【０００５】
しかし、イメージ及びテキスト・コンテンツの使用は、特定の気分及びユーザの状態を表示するのに、かなり不十分である。  上記を鑑みて、リアルタイムのユーザ状態表示方法を提供することが必要である。
【０００６】
さらに、仮想イメージ表示端末が提供される。
【０００７】
さらに、仮想イメージ・サーバが提供される。
【課題を解決するための手段】
【０００８】
一態様では、本発明は、ユーザ状態表示方法を提供し、そのユーザ状態表示方法は、ユーザ・オリジナル情報を情報源から取得するステップと、ユーザ・オリジナル情報を解析し、ユーザ状態情報を取得するステップと、ユーザ状態情報に従って、ユーザ状態情報に適合しているユーザ仮想イメージを仮想イメージ・データベースから取得するステップと、仮想イメージ表示端末がユーザ仮想イメージを表示するように仮想イメージ表示端末に通知するステップとを含む。
【０００９】
別の態様では、本発明は、仮想イメージ・サーバを提供し、その仮想イメージ・サーバは、ユーザ・オリジナル情報を情報源から取得するように構成された取得ユニットと、ユーザ・オリジナル情報を解析し、ユーザ状態情報を取得するように構成された解析ユニットと、解析ユニットによって取得されたユーザ状態情報に従って、ユーザ状態情報に適合しているユーザ仮想イメージを仮想イメージ・データベースから取得するように構成された適合ユニットとを備える。
【００１０】
さらに別の態様では、本発明は、ユーザ仮想イメージ表示方法を提供し、そのユーザ仮想イメージ表示方法は、ユーザ識別子を含む仮想イメージ更新要求を仮想イメージ・サーバに送信するステップと、仮想イメージ・サーバによって返されたユーザ仮想イメージを受信するステップであり、ユーザ仮想イメージが、ユーザ状態情報に従って、仮想イメージ・サーバによって仮想イメージ・データベースから選択され、またユーザ状態情報に適合しているユーザ仮想イメージである、ステップと、取得されたユーザ仮想イメージを表示するステップとを含む。
【００１１】
別の態様では、本発明は、仮想イメージ表示端末を提供し、その仮想イメージ表示端末は、ユーザ識別子を含む仮想イメージ更新要求を仮想イメージ・サーバに送信するように構成された送信ユニットと、仮想イメージ・サーバによって返されたユーザ仮想イメージを受信するように構成された受信ユニットであり、ユーザ仮想イメージが、ユーザ状態情報に従って、仮想イメージ・サーバによって仮想イメージ・データベースから選択され、またユーザ状態情報に適合しているユーザ仮想イメージである受信ユニットと、取得されたユーザ仮想イメージを表示するように構成された表示ユニットとを備える。
【００１２】
本発明の実施形態によるユーザ状態表示方法では、仮想イメージは、実際のユーザの気分及び状態をある程度反映し、また自己表現の新しい手段をユーザに提供する。さらに、緊張をはらんだ現代の生活において、リアルタイムの電話又はショート・メッセージを使用することなく、友人同士が連絡することができ、それによってコミュニケーションの時間を節約できる。
【図面の簡単な説明】
【００１３】
【図１】本発明の一実施形態によるユーザ状態表示方法の流れ図である。
【図２】本発明の一実施形態による、ユーザ・オリジナル情報を取得する信号処理の相互作用図である。
【図３】本発明の別の実施形態によるユーザ仮想イメージ表示方法の流れ図である。
【図４】本発明の一実施形態による、仮想イメージ表示端末の構成ブロック図である。
【図５】本発明の一実施形態による、仮想イメージ・サーバの構成ブロック図である。
【発明を実施するための形態】
【００１４】
本発明の実施形態による技術的な解決策について、以下、本発明の実施形態の添付図面を参照して明確かつ十分に説明する。以下に記載する実施形態は、明らかであろうが、本発明の実施形態の単なる一部であってすべてではない。当業者が本発明の実施形態に基づいて、創造的な努力をすることなく得る他のすべての実施形態は、本発明の保護範囲に含まれるものとする。
【００１５】
図１は、本発明の一実施形態によるユーザ状態表示方法の流れ図である。この方法は、以下のステップを含む。
【００１６】
１０１。ユーザ・オリジナル情報を情報源から取得する。
【００１７】
具体的には、このステップは、オリジナル情報取得ユニット及び情報源を必要とする。オリジナル情報取得ユニットは、ユーザ関連情報を様々な情報源から取得する役目を有し、情報源のインタフェースに適応する必要がある。例えば、特定のユーザの発言内容を新浪微博（Ｓｉｎａ  ｍｉｃｒｏ−ｂｌｏｇｇｉｎｇ）から取得するには、新浪微博によって提供されたインタフェースに従って、ユーザ・オリジナル情報を取得する必要がある。
【００１８】
任意選択で、オリジナル情報取得ユニットは、仮想イメージ・サーバの一部でも、また別個の装置でもよい。情報源は、インターネット又は端末内のアプリケーションである。オープンであり、そこからユーザ・オリジナル情報を取得できる如何なるアプリケーションも、情報源として働くことができる。情報源は、受動的タイプ及び能動的タイプの２つのタイプに分類できる。受動的タイプは、ユーザ状態を取得するためにオリジナル情報取得ユニットが能動的な検索及び分析を実行することを必要とし、能動的タイプは、ユーザ又はユーザの友人が状態を能動的に更新した後、ユーザ・オリジナル情報をオリジナル情報取得ユニットに能動的に報告する。
【００１９】
図２に示すように、このステップは、具体的には以下のステップを含む。
【００２０】
２０１。オリジナル情報取得ユニットが、定期的にユーザ・オリジナル情報収集タスクを起動する。
【００２１】
具体的には、タイマを設定して、ある間隔で収集タスクを開始してもよい。タイマは、以前の収集時間を記録してもよく、また現在開始されているタスクが新しいユーザ・オリジナル情報を漸増的に収集することを定義してもよい。
【００２２】
２０２。オリジナル情報取得ユニットが、ユーザＩＤリストを仮想イメージ・サーバから取得する。
【００２３】
任意選択で、取得プロセスは、次のとおりであってもよい。オリジナル情報取得ユニットが、ユーザＩＤリストを仮想イメージ・サーバから取得することを能動的に要求する、又は仮想イメージ・サーバが、事前にユーザＩＤリストをオリジナル情報取得ユニットに送達する。特定のユーザＩＤリストは、情報源ＩＤ、及びユーザによって情報源上に登録されたユーザＩＤを含んでもよく、その結果、情報取得ユニットは、情報源によって提供されたオープン・インタフェースを通じて、ユーザＩＤリストに従って、ユーザ・オリジナル情報を情報源から取得する。
【００２４】
２０３。仮想イメージ・サーバが、ユーザＩＤリストをオリジナル情報取得ユニットに返す。
【００２５】
２０４。オリジナル情報取得ユニットが、取得された情報源ＩＤに従って、情報源のオープン・アプリケーション・プログラミング・インタフェース（ＡＰＩ）を呼び出す。
【００２６】
具体的には、特定のパラメータが、情報源のＡＰＩ要件に従って入力され、その結果、ユーザ・オリジナル情報が、ＡＰＩインタフェースを通じて情報源から取得される。ユーザ・オリジナル情報は、情報源上のユーザのユーザ識別子、公開された記事又はコンテンツ、公開時間などの情報を含んでもよい。
【００２７】
２０５。情報源が、ユーザ・オリジナル情報をオリジナル情報取得ユニットに返す。
【００２８】
１０２。ユーザ・オリジナル情報を解析し、ユーザ状態情報を取得する。
【００２９】
具体的には、ユーザ・オリジナル情報を情報源から取得した後、オリジナル情報取得ユニットは、オリジナル情報を仮想イメージ・サーバに直接送信してもよく、その結果、仮想イメージ・サーバは、ユーザ・オリジナル情報を解析してユーザ状態情報を取得する。任意選択で、オリジナル情報取得ユニットは、取得されたユーザ・オリジナル情報を解析してユーザ状態情報を取得し、次いでユーザ状態情報を仮想イメージ・サーバに返してもよい。
【００３０】
解析方法は、例えば品詞タグ付けやテキスト分類テクノロジなどの抽出アルゴリズムを使用することによって、ユーザ状態を示すキーワードをユーザ状態情報として抽出するものでもよい。
【００３１】
任意選択で、仮想イメージ・サーバが同義語／類義語ライブラリを有し、ユーザ状態情報の有効範囲を拡大するために上記の抽出されたキーワードがライブラリを通じて拡張され、その結果、仮想イメージ・サーバが、より簡単に、都合よく、適切な仮想イメージに適合する。
【００３２】
以下では、ユーザ・オリジナル情報の取得方法を説明する例として、新浪微博を取り上げる。
【００３３】
以下は、新浪微博ＡＰＩの「ユーザによって最近公開されたミニブログ・メッセージのリストを返す」入力パラメータである。
【００３４】
【表１】
0006329082.tif 000002
【００３５】
以下は、上記要求の受信時に新浪微博によって返された結果の例である。
<?xml  version="1.0"  encoding="UTF-8"?>
<statuses>
<status>
<created_at>Mon  Nov  29  16:08:43  +0800  2010</created_at>
<id>3958728723</id>
<text>  Hello,  developers,  our  forum  is  online:  http://sinaurl.cn/h4FWc7.  Welcome  to  our  forum.  In  addition,  if  you  have  any  technical  problem,  publish  the  problem  on  the  forum  or  on  the  official  technical  support  account  @micro-blogging  API.  Thank  you  for  your  support  to  the  open  platform  [hey]</text>
<source>
<a  href="http://t.sina.com.cn">sina  micro-blogging</a>
</source>
<favorited>false</favorited>
<truncated>false</truncated>
<geo/>
<in_reply_to_status_id/>
<in_reply_to_user_id/>
<in_reply_to_screen_name/>
<user>
<id>11051</id>
<screen_name>micro-blogging  open  platform</screen_name>
<name>micro-blogging  open  platform</name>
<province>11</province>
<city>8</city>
<location>Beijing  Haidian  district</location>
<description>  official  marketing  account  of  Sina  micro-blogging  open  platform.  If  you  have  any  technical  problem,  send  it  to  the  @micro-blogging  API  or  send  a  private  message  to  the  micro-blogging  API  </description>
<url>http://open.t.sina.com.cn/</url>
<profile_image_url>http://tp4.sinaimg.cn/11051/50/1280283165/1</profile_image_url>
<domain>openapi</domain>
<gender>m</gender>
<followers_count>13034</followers_count>
<friends_count>5</friends_count>
<statuses_count>157</statuses_count>
<favourites_count>0</favourites_count>
<created_at>Wed  Jan  20  00:00:00  +0800  2010</created_at>
<following>false</following>
<verified>true</verified>
<allow_all_act_msg>true</allow_all_act_msg>
<geo_enabled>true</geo_enabled>
</user>
</status>
</statuses>
【００３６】
返された検索結果を解析することによって、情報源にあるユーザの発言及び操作記録などの必要とされる情報が取得される。返されたメッセージにおいて、その内容は、予想された収集結果であり、また重要な属性は、以下の公開時間及び公開されたコンテンツである。
<created_at>Mon  Nov  29  16:08:43  +0800  2010</created_at>
<id>3958728723</id>
<text>  Hello,  developers,  our  forum  is  online:  http://sinaurl.cn/h4FWc7.  Welcome  to  our  forum.  In  addition,  if  you  have  any  technical  problem,  publish  the  problem  on  the  forum  or  on  the  official  technical  support  account  @micro-blogging  API.  Thank  you  for  your  support  to  the  open  platform  [hey]</text>
【００３７】
ユーザ状態情報を取得するために、例えば品詞タグ付けやテキスト分類などのアルゴリズムを使用することによって、さらなる分析が、解析されたコンテンツに対して実行される。ユーザ状態情報の例は、ユーザＩＤ、操作タイプ（例えば、ミニブログへのトピックの投稿又はフォーラムへのトピックの投稿、及びコメント）、並びに操作内容のキーワード（例えば、東門（Ｄｏｎｇｍｅｎ）、ショッピング（ｓｈｏｐｐｉｎｇ）、及び幸せ（ｈａｐｐｙ））である。構造化されたユーザ状態情報は、仮想イメージ・サーバに送信され、その結果、仮想イメージ・サーバは、ユーザ状態情報に従って、適切な仮想イメージに適合する。構造化されたユーザ状態情報は、要件に従って設計されてもよく、また上記構造に限定されるものではないことに留意されたい。さらに、使用されたコンテンツ抽出アルゴリズムはまた、他のアルゴリズムであってもよく、分析されたコンテンツの正確性を向上させるために他のテキスト分析テクノロジが使用される。
【００３８】
１０３。ユーザ状態情報に従って、ユーザ状態情報に適合しているユーザ仮想イメージを仮想イメージ・データベースから取得する。
【００３９】
仮想イメージは、ＨＴＭＬ５標準に適合しており、３つの要素を含む。すなわち、例えば、背景画像、複数レイヤの前景画像、動画、対話型画像、及びオーディオなどのマルチメディア・コンテンツ、上記マルチメディア・コンテンツを制御するＪａｖａＳｃｒｉｐｔ（登録商標）スクリプト及びＣＳＳスクリプト、並びに仮想イメージに関する記述（１群のタグ）である。様々な仮想イメージによる上記マルチメディア・コンテンツの使用は、一様でない。例えば、画像だけが使用される、若しくは雪の効果（ｓｎｏｗ  ｅｆｆｅｃｔ）が画像に追加される、動画が使用される、画像及び背景音楽が使用される、又は漫画セグメントが使用される。
【００４０】
仮想イメージは、インターネットでアクセスするユーザにユニフォームリソース識別子（ＵＲＩ）を提供する。すなわち、上記アドレスがブラウザに入力された場合、そのアドレスのコンテンツを再生することができる。各ＵＲＩは、イメージ・セグメントと呼ばれる、仮想イメージの最小単位に対応する。各イメージ・セグメントは、一定のトピック（トピックはタグによって記述される）を表し、また各セグメントは、ある期間存続することができる。
【００４１】
同一トピック又は類似トピックの複数のセグメントは、仮想イメージのグループを構成する。例えば、そのトピックが漫画キャラクタの楽しいヤギ（ｐｌｅａｓａｎｔ  ｇｏａｔ）である仮想イメージのグループでは、いくつかのセグメントが、幸せの状態、怒りの状態、又は睡眠中の状態などを表し、それは初めに製作者が、タグを使用することによって定義することができる（ユーザも、サービス登録（ｓｕｂｓｃｒｉｐｔｉｏｎ）後、タグを修正してもよい）。複数のイメージ・セグメントがグループ内にあるかどうかは、製作者又はユーザによって指定される。各グループは、グループＩＤを備えている。したがって、仮想イメージのサービス登録者が仮想イメージを友人と共有するとき、共有は、グループを単位にして実行することができる。
【００４２】
様々な仮想イメージが様々な表現力を備えている。例えば、仮想人物の顔の表情は、幸せ、怒り、及び驚きの状態を表示するのに適している。仮想人物の動作は、取込み中の状態を表示するのに適している。田園風景の画像は、働いていない状態を表示するのに適している。漫画の動物のイメージは、かわいらしい状態及び面白い状態を表示するのに適している。
【００４３】
以下の表は、仮想イメージ・タグの例であり、そこでは、括弧内の数字はタグとコンテンツとの間の適合の程度を示し、１は完全な適合を示す。
【００４４】
【表２】
0006329082.tif 000003
【００４５】
任意選択で、仮想イメージの開発者は、開発された仮想イメージをパッケージ化し、仮想イメージ・サーバにアップロードする。仮想イメージ・サーバは、アップロードされた仮想イメージを管理し、検索のために仮想イメージのタグの索引を確立する。
【００４６】
任意選択で、ユーザのサービス登録ステップも含まれる。ユーザは、仮想イメージのリスト、タグ、及び索引を使用することによって、仮想イメージを表示してサービス登録する。各仮想イメージ・セグメントが特別な特徴を備えているので、ユーザは、強力な表現力を備えた仮想イメージを取得したい場合、複数の仮想イメージにサービス登録しなければならない。仮想イメージ・サーバは、ユーザによってサービス登録された仮想イメージをグループ化する。各グループは、１つ又は複数の仮想イメージを含む。もちろん、ユーザがグループ化プロセスに介在してもよく、このようにして、仮想イメージ・サーバが、仮想イメージの各グループのＵＲＩを生成する。そして仮想イメージ・サーバは、生成されたＵＲＩを、使用できるようユーザに返す。任意選択で、ユーザは、仮想イメージを管理してもよく、管理には、タグの追加、優先度表示の調整、期間表示の調整、サービス登録解除、ユーザ状態の手動修正などが含まれる。ユーザは、仮想イメージのＵＲＩを友人に送信し、イメージの使用について友人に通知してもよい。そこでは、ＵＲＩは、仮想イメージのグループを表す。それによって、ユーザの友人は、ブラウザにＵＲＩを入力した後、ユーザ仮想イメージを閲覧することができる。例えば、友人の端末のアドレス帳は、仮想イメージ表示機能を統合している。ＵＲＩアドレスは、友人の端末のアドレス帳に追加され、アドレス帳の特定のユーザが、仮想イメージのグループとひも付けられる。このようにして、ユーザの端末は、ユーザ仮想イメージの更新を動的に表示してもよい。ユーザ状態情報が更新された後、仮想イメージ・サーバが、ユーザ状態情報と仮想イメージ・タグとの間の対応関係及び適合に従って、適切な仮想イメージを選択する。
【００４７】
１０４。仮想イメージ表示端末がユーザ仮想イメージを表示するように仮想イメージ表示端末に通知する。
【００４８】
具体的には、ユーザ状態情報が更新された後、仮想イメージ・サーバが、プッシュ・モードで、ユーザ状態の変更を仮想イメージ表示端末に通知し、更新されたユーザ状態情報に従って適切な仮想イメージに適合し、更新された仮想イメージの表示を仮想イメージ表示端末に通知する。任意選択で、仮想イメージ表示端末は、ユーザ状態情報を編集して、又は対話型仮想イメージと対話することによってユーザ状態情報に影響を与えて、仮想イメージ・サーバを起動してユーザ仮想イメージを更新してもよい。例えば、仮想イメージが端末上に表示されたとき、友人は、仮想イメージに触れる、若しくはたたく、マイクロフォンに話し掛ける、又は（センサ対応の）携帯電話を激しく動かす（ｔｈｒｏｗ）、テキストを入力するなどしてもよい。友人の対話型情報はサーバに転送され、サーバは分析を行い、１群のキーワードを取得する。そこでは、キーワードはさらに、仮想イメージの状態に影響を与える。例えば、仮想イメージが漫画キャラクタであり、友人が仮想イメージの顔を「たたいた」場合、サーバは、取得されたタッチ・スクリーン動作を分析して「たたく」操作を取得し、次いで仮想イメージを動かして泣き声を上げるようにする。
【００４９】
任意選択で、友人の端末は、仮想サーバを起動して仮想イメージを更新するように、能動的に現在のユーザ状態情報を仮想サーバに問い合わせてもよく、また仮想イメージのユーザＩＤや問合せ時間範囲などのパラメータを入力することによって過去に使われた仮想イメージを見直してもよい。
【００５０】
本発明の実施形態によるユーザ状態表示方法では、仮想イメージは、実際のユーザの気分及び状態をある程度反映し、また自己表現の新しい手段をユーザに提供する。さらに、緊張をはらんだ現代の生活において、リアルタイムの電話又はショート・メッセージを使用することなく仮想イメージ及び対話型操作を確認することによって、友人同士が連絡することができ、それによって時間を節約できる。一方、インターネットが人々の生活により大きな影響を与えるにつれて、人々のオンライン生活は、オフライン生活以外の、人々の生活のますます重要な部分になる。様々な友人グループと向き合い、人々は、自らを表すための様々な具体的姿を求め、人の複数の仮想イメージは、その要件を満たす。
【００５１】
図３は、本発明の別の実施形態によるユーザ仮想イメージ表示方法の流れ図であり、以下を含む。
【００５２】
３０１。ユーザ識別子を含む仮想イメージ更新要求を仮想イメージ・サーバに送信する。
【００５３】
具体的には、例えば携帯電話やタブレットなどの仮想イメージ表示端末が、アドレス帳やインスタント・メッセージ・アプリケーションなどの仮想イメージ表示モジュールを統合する。仮想イメージ表示モジュールは、ユーザ仮想イメージを表示してもよい。例えば、アドレス帳の連絡先リストの各連絡先は、仮想イメージを備えている。例えば、インスタント・メッセージ・アプリケーションでは、連絡先リストの各連絡先が仮想イメージを備えていてもよく、その仮想イメージは、画像、アニメーション、動画などであってもよい。仮想イメージ表示端末のユーザがアドレス帳又はインスタント・メッセージ・アプリケーションを使用すると、仮想イメージ表示端末を起動して、最新のユーザ仮想イメージを表示するようにユーザ（連絡先など）仮想イメージ更新要求を仮想イメージ・サーバに送信してもよい。
【００５４】
３０２。仮想イメージ・サーバによって返されたユーザ仮想イメージを受信する。そこでは、ユーザ仮想イメージは、ユーザ状態情報に従って、仮想イメージ・サーバによって仮想イメージ・データベースから選択され、またユーザ状態情報に適合しているユーザ仮想イメージである。
【００５５】
具体的には、ユーザ仮想イメージ更新要求を受信した後、仮想イメージ・サーバが、まず最新のユーザ状態情報を取得し、次いでユーザ状態情報に従って、ユーザ状態情報に適合している仮想イメージを、仮想イメージ・サーバから、現在のユーザ仮想イメージとして選択する。任意選択で、仮想イメージ・サーバはまた、ユーザ仮想イメージ・サービス登録要求に従って、仮想イメージのグループをユーザに割り当ててもよい。ユーザ仮想イメージ更新要求を受信した後、仮想イメージ・サーバは、ユーザ状態情報に従って、ユーザ状態情報に適合している仮想イメージを、仮想イメージのグループから、現在のユーザ仮想イメージとして選択し、仮想イメージを仮想イメージ表示端末に返してもよい。
【００５６】
３０３。取得されたユーザ仮想イメージを表示する。
【００５７】
図４は、本発明の一実施形態による、仮想イメージ表示端末の構成ブロック図である。
【００５８】
仮想イメージ表示端末は、送信ユニット４０１、受信ユニット４０２、及び表示ユニット４０３を備え、また任意選択で、さらにサービス登録ユニット４０４を備えてもよい。送信ユニット４０１は、ユーザ識別子を含む仮想イメージ更新要求を仮想イメージ・サーバに送信するように構成される。受信ユニット４０２は、仮想イメージ・サーバによって返されたユーザ仮想イメージを受信するように構成され、そこでは、ユーザ仮想イメージは、ユーザ状態情報に従って、仮想イメージ・サーバによって仮想イメージ・データベースから選択され、またユーザ状態情報に適合しているユーザ仮想イメージである。表示ユニット４０３は、取得されたユーザ仮想イメージを表示するように構成される。任意選択で、サービス登録ユニット４０４がさらに含まれ、仮想イメージ・サービス登録要求を仮想イメージ・サーバに送信するように構成され、仮想イメージ・サーバが、サービス登録要求に従って、仮想イメージのグループをユーザに割り当てるようにする。
【００５９】
具体的には、仮想イメージ表示端末は、仮想イメージ表示モジュール（アドレス帳やインスタント・メッセージ・アプリケーションなど）を統合する、携帯電話、コンピュータ、又はタブレットなどの端末でもよい。仮想イメージ表示端末のユーザがアドレス帳又はインスタント・メッセージ・アプリケーションを使用すると、送信ユニット４０１を起動して、最新のユーザ仮想イメージを表示するようにユーザ（連絡先など）仮想イメージ更新要求を仮想イメージ・サーバに送信してもよい。
【００６０】
ユーザ仮想イメージ更新要求を受信した後、仮想イメージ・サーバが、まず最新のユーザ状態情報を取得し、次いでユーザ状態情報に従って、ユーザ状態情報に適合している仮想イメージを、仮想イメージ・サーバから、現在のユーザ仮想イメージとして選択する。任意選択で、仮想イメージ・サーバはまた、ユーザ仮想イメージ・サービス登録要求に従って、仮想イメージのグループをユーザに割り当ててもよい。ユーザ仮想イメージ更新要求を受信した後、仮想イメージ・サーバは、ユーザ状態情報に従って、ユーザ状態情報に適合している仮想イメージを、仮想イメージのグループから、現在のユーザ仮想イメージとして選択し、仮想イメージを受信ユニット４０２に返してもよく、その結果、表示ユニット４０３が仮想イメージを表示する。
【００６１】
図５は、本発明の一実施形態による、仮想イメージ・サーバの構成ブロック図である。仮想イメージ・サーバは、
取得ユニット５０１、解析ユニット５０２、適合ユニット５０３、及び通知ユニット５０４を備える。
【００６２】
具体的には、取得ユニット５０１は、ユーザ・オリジナル情報を情報源から取得するように構成される。解析ユニット５０２は、取得ユニット５０１によって取得されたユーザ・オリジナル情報を解析し、ユーザ状態情報を取得するように構成される。適合ユニット５０３は、解析ユニット５０２によって取得されたユーザ状態情報に従って、ユーザ状態情報に適合しているユーザ仮想イメージを仮想イメージ・データベースから取得するように構成される。通知ユニット５０４は、仮想イメージ表示端末に通知するように構成され、仮想イメージ表示端末がユーザ仮想イメージを表示するようにする。
【００６３】
任意選択で、送信ユニット５０５が含まれるとともに、ユーザ識別子リストを取得ユニット５０１に送信するように構成され、その結果、取得ユニット５０１が、ユーザ識別子リストに従って、ユーザ・オリジナル情報を情報源から取得する。
【００６４】
具体的には、送信ユニット５０５が、情報源ＩＤや、ユーザによって情報源上に登録されたユーザＩＤなどのユーザ識別子リストを、取得ユニット５０１に送信し、また取得ユニット５０１は、別個の装置であってもよく、又は仮想イメージ・サーバの一部であってもよい。取得ユニット５０１が、取得された情報源ＩＤに従って、情報源のオープンＡＰＩを呼び出し、情報源のＡＰＩ要件に従って、特定のパラメータを入力し、それによって、ユーザ・オリジナル情報をＡＰＩインタフェースを通じて情報源から取得する。ユーザ・オリジナル情報は、情報源上のユーザのユーザ識別子、公開された記事又はコンテンツ、公開時間などの情報を含んでもよい。ユーザ・オリジナル情報を情報源から取得した後、取得ユニット５０１は、オリジナル情報を解析ユニット５０２に直接送信してもよく、その結果、解析ユニット５０２は、ユーザ・オリジナル情報を解析してユーザ状態情報を取得する。任意選択で、取得ユニット５０１は、取得されたユーザ・オリジナル情報を解析してユーザ状態情報を取得し、次いでユーザ状態情報を解析ユニット５０２に返してもよい。
【００６５】
任意選択で、サービス登録ユニット５０６が含まれるとともに、ユーザ仮想イメージにサービス登録するように構成される。ユーザは、サービス登録ユニット５０６を通じて、仮想イメージ検索、サービス登録、グループ化などを実行してもよい。サービス登録ユニット５０６は、ユーザによってサービス登録された仮想イメージのグループ化管理を実行し、使用するユーザにイメージを提供する。適合ユニット５０３は、ユーザ状態情報に従って、ユーザ状態情報に適合している仮想イメージを、サービス登録ユニットによってユーザに割り当てられた仮想イメージのグループから、現在のユーザ仮想イメージとして選択し、また通知ユニット５０４を通じて、仮想イメージ表示端末に、現在のユーザ仮想イメージの表示を通知する。
【００６６】
本発明の実施形態における仮想イメージ・サーバは、仮想イメージ管理、サービス登録、及び適合を提供することができる。仮想イメージは、実際のユーザの気分及び状態をある程度反映し、また自己表現の新しい手段をユーザに提供する。さらに、緊張をはらんだ現代の生活において、リアルタイムの電話又はショート・メッセージを使用することなく、友人同士が連絡することができ、それによってコミュニケーションの時間を節約できる。一方、インターネットが人々の生活により大きな影響を与えるにつれて、人々のオンライン生活は、オフライン生活以外の、人々の生活のますます重要な部分になる。様々な友人グループと向き合い、人々は、自らを表すための様々な具体的姿を求め、人の複数の仮想イメージは、その要件を満たす。
【００６７】
本実施形態における方法のすべて又は一部のプロセスは、関連するハードウェアに命令するコンピュータプログラムよって実装されうることを当業者なら理解するであろう。プログラムは、コンピュータ可読記憶媒体に格納されてもよい。プログラムが実行されると、実施形態における方法のプロセスが実行される。記憶媒体は、磁気ディスク、ＣＤ−ＲＯＭ、読出し専用メモリ（Ｒｅａｄ−Ｏｎｌｙ  Ｍｅｍｏｒｙ：ＲＯＭ）、ランダム・アクセス・メモリ（Ｒａｎｄｏｍ  Ａｃｃｅｓｓ  Ｍｅｍｏｒｙ：ＲＡＭ）であってもよい。
【００６８】
最後に、上記は、単に本発明の例示的実施形態であり、本発明の保護範囲を限定することは意図されない。本発明の趣旨及び原理から逸脱することなく実施される、任意の修正、同等な置換え、又は改善は、本発明の保護範囲に含まれるものとする。
【図１】
0006329082.tif 000004
【図２】
0006329082.tif 000005
【図３】
0006329082.tif 000006
【図４】
0006329082.tif 000007
【図５】
0006329082.tif 000008